(57)【特許請求の範囲】
【請求項１】
器具ケース内に、給湯熱交換器と、この給湯熱交換器の出側に接続される器具内給湯通路と、この器具内給湯通路の途中に接続された分岐通路と、この分岐通路に設けられた開閉制御弁とが収容され、器具ケースから外に出た器具内給湯通路の出側にはジョイント部材が設けられ、このジョイント部材を介して器具内給湯通路と器具外給湯通路とが接続される給湯機能付燃焼機器において、前記ジョイント部材の内部には、前記器具内給湯通路の出側に連通する流入通路と、この流入通路に対し横方向にずらした位置に形成された流出通路と、前記流入通路と流出通路をほぼ直交させて連通接続する屈曲通路と、が設けられ、また、ジョイント部材には前記屈曲通路に連通し前記流出通路の入り口側から前記流入通路および流出通路にほぼ直交する方向であって、前記流入通路の出口側とは反対側の方向に伸長する筒穴を有する嵌合筒壁が形成され、この嵌合筒壁の筒穴先端側には水抜き栓が着脱自在に挿入装着され、この水抜き栓の内部の先端側には先方開口の凹部空間が、後端側には後方開口の弁形成室が水抜き栓のほぼ中心線に沿って形成されてこの凹部空間と弁形成室とは連通孔を介して連通され、前記凹部空間の先端側には逆止弁の弁ロッドが進退移動可能に支持されてその弁ロッドの先端側には前記流入通路の出口に設けられた弁座に弁ばねの付勢力を受けて当接して流入通路の出口を閉じる逆止弁の弁体が設けられており、前記弁形成室には前記流出通路の過剰圧力を前記後方開口から逃す圧力逃し弁が設けられていることを特徴とする給湯機能付燃焼機器。
【発明の詳細な説明】
【０００１】
【産業上の利用分野】
本発明は、給湯熱交換器の給湯通路の途中に湯張りや注水を行う分岐通路が接続されている給湯機能付燃焼機器に関するものである。
【０００２】
【従来の技術】
図５には、浴槽１への湯張りや注水が可能な従来の一般的な給湯のシステムが示されている。この給湯システムの燃焼機器の器具２は、自動風呂釜（複合給湯器）として知られており、器具２のケース３内に、給湯熱交換器４と追い焚き熱交換器５とが並設されている。
【０００３】
追い焚き熱交換器５の入口側には入側管路６が接続されており、追い焚き熱交換器５の出側には出側管路７が接続されており、器具内の入側管路６と戻り側外部管路８とは、ジョイント部材10ｃを介して接続され、また、出側管路７と往側外部管路11とは、ジョイント部材10ｄを介して接続されている。そして、戻り側外部管路８の入口側と往側外部管路11の出口側は、循環金具12を介して浴槽１の側壁に連結され、これら戻り側外部管路８と入側管路６と追い焚き熱交換器５と出側管路７と往側外部管路11とで、浴槽１内の湯水を循環する追い焚き循環管路13が形成されており、入側管路６にはこの浴槽湯水の循環を行う循環ポンプ14が組み込まれている。なお、入側管路６に設けられている番号の15は湯水の流れを検出する流水スイッチ、16は浴槽１内の湯水の温度を検出する風呂温度センサである。
【０００４】
前記給湯熱交換器４の入口側には器具内給水管路17が接続され、この器具内給水管路17と外部給水管路18とはジョイント部材10ａを介して接続されている。
【０００５】
給湯熱交換器４の出側には器具内給湯通路20が接続されており、この器具内給湯通路20は、ジョイント部材10ｂを介して器具外給湯通路21に接続されている。そして、器具外給湯通路21は、所望の給湯場所に配管され、各種の給湯栓、図５に示す例では混合水栓22と、単水栓からなる給湯栓23が接続されている。
【０００６】
この混合水栓22として、様々な形態のものがあるが、この図５に示す混合水栓22は、給湯分岐管路19側の逆止弁24と、手動開閉弁25と、給水分岐管路29側の逆止弁26と、手動開閉弁27と、湯と水の混合水をシャワー側とカラン側とに選択切り換えする切り換え弁28とによって形成されている。
【０００７】
前記器具内給湯通路20の途中には、分岐通路30の一端側が接続されて、分岐通路30の他端側は入側管路６に接続されて、器具内給湯通路20と入側管路６とは分岐通路30を介して連通されている。この分岐通路30には開閉制御弁として機能する注湯電磁弁31が介設されている。
【０００８】
なお、図中、32は給水流量を検出する流量センサ、33は入水温度を検出する入水温度センサ、34は出湯温度を検出する出湯温度センサ、35は給湯熱交換器４からの給湯流量を調整する水量調整弁、36は必要に応じ設けられるバイパス通路、37は浴槽１内の湯水の水位を水圧によって検出する圧力センサである。
【０００９】
この種の給湯装置の給湯と、湯張りと、追い焚きの動作は制御装置（図示せず）によって制御されており、給湯運転にあっては、給水温度を給湯の設定温度にすべく、バーナを燃焼して給湯熱交換器４を通る水を燃焼火力でもって加熱して設定温度の湯にし、給湯通路20，21を通して給湯を行う。
【００１０】
また、湯張り動作時には、注湯電磁弁31を開け、給湯熱交換器４で作り出した湯を分岐通路30を通して追い焚き循環管路13に導き、この追い焚き循環管路13から浴槽１内に落とし込み、流量センサ32で検出される落とし込み水量が設定水位の水量となったとき（あるいは圧力センサ37で検出される浴槽１内の水位が設定水位になったとき）に注湯電磁弁31を閉じて湯張り動作を終了する。なお、この湯張り動作において、給湯熱交換器４のバーナを燃焼させないで、外部給水管路18から供給される水を、同様に、注湯電磁弁31を開けて浴槽１に落とし込むことにより、浴槽１に水が張られる。
【００１１】
追い焚き動作時には、前記注湯電磁弁31を閉じた状態で循環ポンプ14を起動することにより、浴槽１内の湯水は追い焚き循環管路13を循環し、このとき、追い焚き熱交換器５のバーナ燃焼を行うことにより、循環湯水は、追い焚き熱交換器５を通るときに加熱されて追い焚きが行われ、風呂温度センサ16で検出される浴槽１内の湯温が風呂の設定温度に達したときに、循環ポンプ14を停止して追い焚き動作を終了する。
【００１２】
上記の如く、制御装置の運転制御により、給湯と、湯張りと、追い焚きの各運転が自動的に行われることとなる。
【００１３】
【発明が解決しようとする課題】
ところで、上記直結式の分岐通路30を備えた器具２において、湯張り動作を行うときは、通常、給湯栓23を閉めた状態で注湯電磁弁31が開けられて湯張りが行われるが、このとき、注湯電磁弁31の開閉時に注湯電磁弁31付近の圧力が急激に変化すると、注湯電磁弁31と給湯栓23との間で衝撃的な波が生じ、この衝撃的な水圧が圧力センサ37にかかり、いわゆるウォーターハンマが発生するという問題があり、このウォーターハンマにより、ときには、圧力センサ37が破損してしまうといった問題があった。
【００１４】
本発明者は上記従来の課題を解決するために、図４に示すような構成を提案している。この提案は、器具内給湯通路20と分岐通路30との接続部38よりも下流側の器具内給湯通路20の部位に逆流防止用の逆止弁40が設けられていることであり、それ以外の構成は図５に示す従来例と同様である。
【００１５】
本提案では、前記のように、逆止弁40が分岐通路30の接続部38よりも下流側の器具内給湯通路20に設けられているので、発生するウォーターハンマを緩和することが可能となり、ウォーターハンマによる圧力センサの破損を防止することができる。
【００１６】
ところで、器具２を寒冷地に設置するような場合には、器具２内の管路の凍結防止を図るために、通常、ジョイント部材10ａ〜10ｄの部分に水抜き栓が設置される。このような場合、図４に示すように、ジョイント部材10ｂの上流側に逆止弁40が設置されると、逆止弁40は順方向の水の流れの向きに抵抗を持つために、ジョイント部材10ｂに設けた水抜き栓を操作して水抜きを行っても、逆止弁40の上流側、例えば、逆止弁40と分岐通路30の接続部38間の水が抜けず、この部分が凍結する虞がある。この凍結を防止するためには、分岐通路30の接続部38と逆止弁40との間に新たに水抜き栓を設けなければならないという新たな問題が生じる。
【００１７】
本発明は上記課題を解決するためになされたものであり、その目的は器具内給湯通路に接続して逆止弁を設けても、ジョイント部材の水抜き栓の他に新たな水抜き栓を別途設ける必要のない給湯機能付燃焼機器を提供することにある。
【００１８】
【課題を解決するための手段】
本発明は上記目的を達成するために、次のように構成されている。すなわち、本発明は、器具ケース内に、給湯熱交換器と、この給湯熱交換器の出側に接続される器具内給湯通路と、この器具内給湯通路の途中に接続された分岐通路と、この分岐通路に設けられた開閉制御弁とが収容され、器具ケースから外に出た器具内給湯通路の出側にはジョイント部材が設けられ、このジョイント部材を介して器具内給湯通路と器具外給湯通路とが接続される給湯機能付燃焼機器において、前記ジョイント部材の内部には、前記器具内給湯通路の出側に連通する流入通路と、この流入通路に対し横方向にずらした位置に形成された流出通路と、前記流入通路と流出通路をほぼ直交させて連通接続する屈曲通路と、が設けられ、また、ジョイント部材には前記屈曲通路に連通し前記流出通路の入り口側から前記流入通路および流出通路にほぼ直交する方向であって、前記流入通路の出口側とは反対側の方向に伸長する筒穴を有する嵌合筒壁が形成され、この嵌合筒壁の筒穴先端側には水抜き栓が着脱自在に挿入装着され、この水抜き栓の内部の先端側には先方開口の凹部空間が、後端側には後方開口の弁形成室が水抜き栓のほぼ中心線に沿って形成されてこの凹部空間と弁形成室とは連通孔を介して連通され、前記凹部空間の先端側には逆止弁の弁ロッドが進退移動可能に支持されてその弁ロッドの先端側には前記流入通路の出口に設けられた弁座に弁ばねの付勢力を受けて当接して流入通路の出口を閉じる逆止弁の弁体が設けられており、前記弁形成室には前記流出通路の過剰圧力を前記後方開口から逃す圧力逃し弁が設けられていることを特徴として構成されている。
【００２０】
【作用】
上記構成の本発明において、開閉制御弁を開けることにより、給湯熱交換器側で作り出された湯は給湯通路から分岐通路を介して、湯が送給される。また、開閉制御弁を閉じることにより、分岐通路を介しての湯の送給が停止される。この開閉制御弁の開閉時に該開閉制御弁付近の圧力が急激に変化しても、この急激な圧力変化は逆止弁によって緩和され、ウォーターハンマの発生を抑止する。
【００２１】
また、冬季等の夜間に水抜き栓を抜くことにより、水抜き栓と一体に逆止弁の弁体が抜かれることで、逆止弁の上方側の通路内の水はもとより器具内給湯通路内の水は滞留することなくスムーズに抜かれ、凍結防止が確実に図られる。
【００２２】
【実施例】
以下、本発明の実施例を図面に基づいて説明する。なお、本実施例の説明において、従来例および提案例と同一の名称部分には同一符号を付し、その重複説明は省略する。本実施例の給湯機能付燃焼機器は従来例および提案例と同様に複合給湯器（自動風呂釜）を対象にしており、図５に示す従来例と同様な器具構成を備えている。本実施例において特徴的なことはジョイント部材10ｂに逆止弁40と水抜き栓43を組み込んだことであり、それ以外の構成は従来例と同様である。
【００２３】
説明の都合上、本発明の実施例の説明の前に、本発明を説明するための参考例を説明する。図１は逆止弁４０と水抜き栓４３を組み込んだジョイント部材１０ｂの参考例を示すもので、ジョイント部材１０ｂの本体内には流入通路４４と流出通路４５とが横方向に位置をずらして形成されており、流入通路４４と流出通路４５はほぼ直交する屈曲通路４６を介して連通接続されており、流入通路４４の入口側は器具ケース３から外に突き出た器具内給湯通路２０の出口に接続され、流出通路４５の出口側は器具外給湯通路２１に接続される。
【００２４】
前記流入通路44の出口側はほぼ直角横方向に向けられており、この流入通路44の出口側の通路壁部にはその横方向に突出させて弁座47が形成されている。
【００２５】
流入通路44の出口の延長側に水抜き栓43が挿入装着される嵌合筒壁48が伸設されており、この嵌合筒壁48の先端側内周面に設けた雌ねじ部に螺合させて、水抜き栓43が着脱自在に装着されている。
【００２６】
水抜き栓43の挿入側外周面にはパッキン収容溝50が周設されており、このパッキン収容溝50にＯリング51が収容され、このＯリング51によって水抜き栓43と嵌合筒壁48との気密（水密）が図られている。
【００２７】
前記水抜き栓43の中心部分には軸長方向に先端側開口の凹部空間52が形成されている。水抜き栓43の先端部の内側には係止保持部53が形成されており、この係止保持部53に円板状の張り出し鍔部54が係止保持されて、ブッシュ55が凹部空間52に収容されている。ブッシュ55の中心孔56には弁ロッド57が摺動自在に挿通されており、弁ロッド57の凹部空間52側の端部には抜け止め防止用のストッパ58が固定されている。
【００２８】
前記弁ロッド57の他端側には弁体取り付け板60を介して弁体（弁）61が設けられている。
【００２９】
前記張り出し鍔部54と弁体取り付け板60間には圧縮状態の弁ばね62が介設されており、この弁ばね62のばね圧によって、常時は、弁座47に弁体61が圧接し、流出通路45側から流入通路44側への湯水の逆流が防止されており、水抜き栓43に一体的に固定されているブッシュ55と、弁ロッド57と、弁ばね62と、弁体取り付け板60と、弁体61と、弁座47とによって逆止弁40が構成されている。
【００３０】
図２には本発明の実施例が示されている。実施例に示すものは、図１に示す参考例のものと同様にしてジョイント部材１０ｂに逆止弁４０と水抜き栓４３が構成されるが、その他に、水抜き栓４３の内部に圧力逃し弁６３を組み込み形成している。すなわち、水抜き栓４３の後端側に後端開口の弁形成室６４を形成し、この弁形成室６４と前記凹部空間５２とを隔壁６５によって区画し、この隔壁６５に連通孔６６を開けて凹部空間５２と弁形成室６４とを連通させている。
【００３１】
連通孔66の縁部には後方側に突出する弁座67を設け、この弁座67に弁68を係止して連通孔66が閉じられている。弁68の取り付け板70と弁形成室64の後端側（開口端側）のばね受71との間には圧縮状のコイルばね72が介設されており、このコイルばね72のばね圧力によって弁68が弁座67に圧接し、連通孔66が閉じられている。
【００３２】
この圧力逃し弁63は流出通路45側の圧力が異常な高圧となったときに、コイルばね72の付勢力に抗して弁68を開け、異常な圧力を連通孔66から外部へ逃がす役割を担っている。
【００３３】
前記図１や図２に示す逆止弁40と水抜き栓43が組み込まれたジョイント部材10ｂを用いることにより、水抜き栓43を抜くことにより、逆止弁40の弁体61も一体的に抜き出されることとなり、これにより、ジョイント部材10ｂよりも高位側にある器具内給湯通路20内の水は残らず抜き出されることとなり、管路内の水抜きを完璧に行い、管路内の水の凍結防止を確実に達成することが可能となる。
【００３４】
また、水抜き栓43と弁体61が一体的に構成されることで、装置のコンパクト化を達成することができると共に、水抜き栓43を抜き出すことにより、弁体61も一体的に抜け出るので、弁体61側の清掃等のメンテナンスや交換の作業も極めて容易となる。
【００３５】
さらに、図２に示すように、水抜き栓43に逆止弁40の弁体61と、圧力逃し63を一体的に構成することにより、これらの弁体61や弁68を別体に設ける場合に比べ、大幅な装置のコンパクト化を達成することができると共に、それらの取り扱いを容易化することができる。
【００３６】
さらに、図１および図２のジョイント部材10ｂの水抜き栓43の水抜き操作部分は器具２のケース３の外側に配設されるので、これら、水抜き栓43を抜き出しての逆止弁40のメンテナンス等の作業を器具２の外部からできるので、そのメンテンス等の作業も非常にやり易くなる。
【００４０】
なお、本発明は上記実施例に限定されることはなく、様々な実施の態様を採り得る。例えば、上記実施例では、器具２として、自動風呂釜（複合給湯器）を対象にして説明したが、例えば、図３に示すように、分岐通路３０にジョイント１０ｄを介して湯張り管７５を接続し、この湯張り管７５の先端を浴槽１に接続して湯張りを行うようにした、給湯と湯張り機能を持たせた給湯機能付燃焼機器に適用できる（この場合は図３のジョイント１０ｂを図２のものに構成することになる）ことはもちろんのこと、給湯熱交換器４の給湯通路の途中に分岐通路３０が接続されて、その分岐通路３０に開閉制御弁（注湯電磁弁）が介設される構成を持つ器具であれば他の形態の器具でもよく、例えば、分岐通路３０の出口側に注水回路や、湯温暖房用の温水回路が接続される器具においても本発明が適用されるものである。
【００４１】
また、本実施例では器具外給湯通路21に混合水栓22や給湯栓23を接続した例を示したが、器具外給湯通路21に接続される水栓は本実施例以外の様々なタイプのものが接続使用可能であり、また、これら水栓と器具と浴槽の階層配置も任意の組み合わせを採り得るものである。
【００４２】
【発明の効果】
本発明は、給湯熱交換器の出側に接続される器具内給湯通路の途中に開閉制御弁を有する分岐通路が接続される給湯機能付燃焼機器において、器具ケースから外に突き出た器具内給湯通路の出口のジョイント部材に逆流防止用の逆止弁を設けたので、開閉制御弁を開けて給湯熱交換器側から分岐通路を通して注水や注湯を行うときや、開閉制御弁を閉じたときに発生するウォーターハンマを緩和することが可能となり、ウォーターハンマによって分岐通路に設けられる圧力センサの破損を防止することができる。
【００４３】
また、ジョイント部材に逆止弁の弁体を一体に組み込んだ水抜き栓を設けたので、水抜き栓を抜くことにより逆止弁の弁体も一体的に抜き出されるので、凍結防止の水抜きを確実に行うことができ、また、逆止弁の清掃等のメンテナンスや弁体の交換作業も容易となる。しかも、これら逆止弁の清掃や交換の作業は器具の外側から行うことができるのでこれらの作業は非常にやり易くなる。
【図面の簡単な説明】
【図１】  給湯機能付燃焼機器を構成するジョイント部材１０ｂに逆止弁と水抜き栓を組み込み構成した本発明を説明するための参考例の構成説明図である。
【図２】  同じくジョイント部材１０ｂに逆止弁と水抜き栓と圧力逃し弁を組み込んだ本発明の実施例の構成説明図である。
【図３】  本発明が適用される他の器具の一例を示す説明図である。
【図４】  本発明者が提案している複合給湯器（自動風呂釜）のシステム図である。
【図５】  従来の自動風呂釜のシステム図である。
【符号の説明】
２  器具
４  給湯熱交換器
１０ａ〜１０ｄ  ジョイント部材
２０  器具内給湯通路
３０  分岐通路
４０  逆止弁
４３  水抜き栓
６１  弁体（弁）
【図１】
0003744557.tif 000002
【図２】
0003744557.tif 000003
【図３】
0003744557.tif 000004
【図４】
0003744557.tif 000005
【図５】
0003744557.tif 000006